(57)【要約】【課題】  本発明は、蓋を閉じた状態で確実にロックすることができる蓋のロック機構を提供すること。【解決手段】  本発明の蓋のロック機構のスライダー７は、蓋２の開閉方向と直交する方向の矢印Ｃの一方向に弾性付勢され、蓋２を開いている時は一方向への動きが規制されており、蓋２を閉じる時にスライダー７が突部によって所定量押し下げられることで、一方向への動きの規制が解除されてスライダー７が矢印Ｃの一方向にスライドすると共に、第１、第２の突部４、５のロック部４ａ、５ａに第１、第２の係止部４ｃ、４ｄが係止されて、蓋２が筐体１にロックされる。【選択図】        図１
2007232032.tif 000002
【特許請求の範囲】
【請求項１】
一方側に開放された筐体と、開放された前記一方側を開閉可能な蓋とを備え、前記蓋には、前記筐体内部に所定寸法で突出形成した突部の一部にロック部が形成され、前記筐体には、前記蓋の開閉方向と直交する方向にスライド可能なスライダーが配設され、前記スライダーには、前記蓋を閉じると前記ロック部が係合して前記蓋をロック可能な係止部が形成され、
前記スライダーは、前記蓋の開閉方向と直交する方向の一方向に弾性付勢され、前記蓋を開いている時は前記一方向への動きが規制されており、前記蓋を閉じる時に前記スライダーが前記突部によって所定量押し下げられることで、前記一方向への動きの規制が解除されて前記スライダーが前記一方向にスライドすると共に、前記ロック部に前記係止部が係止されて、前記蓋が前記筐体にロックされることを特徴とする蓋のロック機構。
【請求項２】
前記スライダーには、前記蓋に形成した前記突部の先端が当接して押圧可能な当接部が形成され、前記蓋が前記開放部を閉じる時に、前記突部が前記当接部を押圧することで前記スライダーが前記押し下げられることを特徴とする請求項１記載の蓋のロック機構。
【請求項３】
前記蓋には、所定の間隔を有して第１、第２の前記突部が一対形成され、前記スライダーには、前記第１、第２の突部が対応する位置に第１、第２の前記係止部が一対形成されていることを特徴とする請求項１、又は２記載の蓋のロック機構。
【請求項４】
前記スライダーは、前記筐体内部の取付板に前記スライド可能に支持され、前記取付板には、前記スライダーの前記一方向への動きを規制するための位置規制部が形成され、前記蓋を閉じる時に前記第１の突部が前記当接部を押圧することで、前記位置規制部による前記規制が解除されて前記スライダーが前記一方向にスライドすることを特徴とする請求項２、又は３記載の蓋のロック機構。
【請求項５】
前記取付板には、前記スライダーを前記スライド可能に支持する支持部が形成され、前記スライダーがスライドする方向に所定の間隔を有して第１、第２の前記支持部が一対形成されていることを特徴とする請求項４記載の蓋のロック機構。
【請求項６】
前記第１の支持部は、前記当接部近傍に形成され、前記当接部は、前記第１の突部が押圧操作可能な位置の前記スライダー側に形成され、前記蓋を閉じる時に前記第１の突部が前記当接部を押圧することで、前記スライダーは、前記第１支持部から所定の間隔を有して形成された前記第２の支持部を支点として回動して前記当接部側が下方に前記押し下げられて、前記位置規制部による前記規制が解除されることを特徴とする請求項５記載の蓋のロック機構。
【請求項７】
前記位置規制部による前記規制が解除されると、前記スライダーは、前記一方向にスライドし、前記位置規制部の下部に位置して上方への動きが規制されることを特徴とする請求項６記載の蓋のロック機構。
【請求項８】
前記蓋が前記筐体に前記ロックされた状態において、前記スライダーを他方向に押圧してスライドすることで、前記ロック部に対する前記係止部のロックが解除されると共に、前記スライダーの前記当接部側が前記第２の支持部を支点として上方に回動することを特徴とする請求項７記載の蓋のロック機構。  
【請求項９】
前記ロック部は、コ字状に形成され、前記係止部は、前記スライダーの一部を突出させて前記ロック部に係止可能な形状になっていることを特徴とする請求項１乃至８の何れか１項に記載の蓋のロック機構。
【請求項１０】
前記蓋は、常に開く方向に弾性付勢されていることを特徴とする請求項１乃至９の何れか１項に記載の蓋のロック機構。
【請求項１１】
前記第１の突部の先端、及び前記当接部は、正面視の形状が右肩上がりの傾斜状に形成されていることを特徴とする請求項３乃至１０の何れか１項に記載の蓋のロック機構。
【発明の詳細な説明】
【技術分野】
【０００１】
本発明は、蓋のロック機構に係わり、例えばプリンタ等の筐体に形成した開放部を開閉可能な蓋のロック機構に関する。
【背景技術】
【０００２】
従来の蓋のロック機構を特許文献１に基づいて説明すると、図７に示すように、例えばディジタルカメラ等の筐体３１には、内部の電池収納部３２を閉じるための電池蓋３３が配設され、この電池蓋３３には、先端にロック爪３４ａを有するロックレバー３４がスライド可能に取付けられている。
前記ロック爪３４ａは、筐体３１から電池収納部３２側に突出する係止部３５に係止してロック可能になっている。また、ロック爪３４ａは、内面３４ｂと傾斜面３４ｃとでフック状に形成され、電池蓋３３から上方に突出して解除ノブ３４ｄが形成されている。
【０００３】
また、係止部３５には、下面に係止面３５ａが形成され、先端に角部３５ｂが形成され、この角部３５ｂをロック爪３４ａの傾斜面３４ｂが当接して滑り落ちるようになっている。
前記ロックレバー３４は、コイルバネ３６によって図示左方向に常時弾性付勢されている。また、ロック爪３４ａの内面３４ｂは、係止部３５の係止面３５ａに対して１５°±１０°の角度で図示左側の先端側が高くなるように傾斜状になっている。
【０００４】
このような従来の蓋のロック機構の操作は、２点鎖線で示すように、開放状態の電池蓋３３を図示下方に閉じていくと、ロックレバー３４のロック爪３４ａの傾斜面３４ｂが係止部３５の角部３５ｂに突き当たる。そして、ロックレバー３４を更に押し込むと、コイルバネ３６の付勢力に抗してロックレバー３４が図示右方向に移動する。このことにより、ロック爪３４ａの先端部が係止部３５の先端部に当たりながら降下し、ロック爪３４ａの内面３４ｂが係止部３５の係止面３５ａに係止されて電池蓋３３がロックされる。
【０００５】
また電池蓋３３のロックを解除するには、解除ノブ３４ｄをコイルバネ３６の付勢力に抗して図示右方向にスライドさせることで、ロック爪３４ａが係止部３５から外れて電池蓋３３を上方に開くことで、電池収納部３２が開放されて例えば電池の交換等が行えるようになっている。  
【特許文献１】特開平１１−０２５９４１号公報
【特許文献２】特開平１０−１９９２２３号公報
【発明の開示】
【発明が解決しようとする課題】
【０００６】
しかし、前述したような従来の蓋のロック機構は、電池蓋３３を押し下げて閉じる時に、ロック爪３４ａの先端部が係止部３５の先端部に当たりながら降下することによる摺動摩擦で、押し下げ負荷が増大する。
このことにより、操作者が電池蓋３３がロックされたものと勘違いして、押し下げが途中でストップされると、電池蓋３３は、ハーフロック状態となる。
このような、電池蓋３３がハーフロック状態となると、外部から振動が加わった場合に、電池蓋３３が開いて電池収納部３２に収納している電池（図示せず）が外部に飛び出すおそれがあった。
本発明は、前述したような課題を解決するためになされたもので、蓋を閉じた状態で確実にロックすることができる蓋のロック機構を提供することを目的とする。
【課題を解決するための手段】
【０００７】
前記課題を解決するための第１の手段として本発明の蓋のロック機構は、一方側に開放された筐体と、開放された前記一方側を開閉可能な蓋とを備え、前記蓋には、前記筐体内部に所定寸法で突出形成した突部の一部にロック部が形成され、前記筐体には、前記蓋の開閉方向と直交する方向にスライド可能なスライダーが配設され、前記スライダーには、前記蓋を閉じると前記ロック部が係合して前記蓋をロック可能な係止部が形成され、
前記スライダーは、前記蓋の開閉方向と直交する方向の一方向に弾性付勢され、前記蓋を開いている時は前記一方向への動きが規制されており、前記蓋を閉じる時に前記スライダーが前記突部によって所定量押し下げられることで、前記一方向への動きの規制が解除されて前記スライダーが前記一方向にスライドすると共に、前記ロック部に前記係止部が係止されて、前記蓋が前記筐体にロックされることを特徴とする。
また、前記課題を解決するための第２の手段として、前記スライダーには、前記蓋に形成した前記突部の先端が当接して押圧可能な当接部が形成され、前記蓋が前記開放部を閉じる時に、前記突部が前記当接部を押圧することで前記スライダーが前記押し下げられることを特徴とする。
また、前記課題を解決するための第３の手段として、前記蓋には、所定の間隔を有して第１、第２の前記突部が一対形成され、前記スライダーには、前記第１、第２の突部が対応する位置に第１、第２の前記係止部が一対形成されていることを特徴とする。
また、前記課題を解決するための第４の手段として、前記スライダーは、前記筐体内部の取付板に前記スライド可能に支持され、前記取付板には、前記スライダーの前記一方向への動きを規制するための位置規制部が形成され、前記蓋を閉じる時に前記第１の突部が前記当接部を押圧することで、前記位置規制部による前記規制が解除されて前記スライダーが前記一方向にスライドすることを特徴とする。
【０００８】
また、前記課題を解決するための第５の手段として、前記取付板には、前記スライダーを前記スライド可能に支持する支持部が形成され、前記スライダーがスライドする方向に所定の間隔を有して第１、第２の前記支持部が一対形成されていることを特徴とする。
また、前記課題を解決するための第６の手段として、前記第１の支持部は、前記当接部近傍に形成され、前記当接部は、前記第１の突部が押圧操作可能な位置の前記スライダー側に形成され、前記蓋を閉じる時に前記第１の突部が前記当接部を押圧することで、前記スライダーは、前記第１支持部から所定の間隔を有して形成された前記第２の支持部を支点として回動して前記当接部側が下方に前記押し下げられて、前記位置規制部による前記規制が解除されることを特徴とする。
また、前記課題を解決するための第７の手段として、前記位置規制部による前記規制が解除されると、前記スライダーは、前記一方向にスライド。
また、前記課題を解決するための第８の手段として、前記蓋が前記筐体に前記ロックされた状態において、前記スライダーを他方向に押圧してスライドすることで、前記ロック部に対する前記係止部のロックが解除されると共に、前記スライダーの前記当接部側が前記第２の支持部を支点として上方に回動することを特徴とする。
【０００９】
また、前記課題を解決するための第９の手段として、前記ロック部は、コ字状に形成され、前記係止部は、前記スライダーの一部を突出させて前記ロック部に係止可能な形状になっていることを特徴とする。
また、前記課題を解決するための第１０の手段として、前記蓋は、常に開く方向に弾性付勢されていることを特徴とする。
また、前記課題を解決するための第１１の手段として、前記第１の突部の先端、及び前記当接部は、正面視の形状が右肩上がりの傾斜状に形成されていることを特徴とする。
【発明の効果】
【００１０】
本発明の蓋のロック機構のスライダーは、蓋の開閉方向と直交する方向の一方向に弾性付勢され、蓋を開いている時は一方向への動きが規制されており、蓋を閉じる時にスライダーが突部によって所定量押し下げられることで、スライダーの一方向への動きの規制が解除されると共に、ロック部に係止部が係止されて、蓋が筐体にロックされるので、一方向に弾性付勢されたスライダーの係止部がロック部に確実に係止される。そのために、従来の技術の課題で説明したようなハーフロック状態になるのを防止でき、完全に蓋を筐体にロックすることができる。
また、スライダーには、蓋に形成した突部の先端が当接して押圧可能な当接部が形成され、蓋が開放部を閉じる時に、突部が当接部を押圧することでスライダーが押し下げられるので、スライダーの一方向への動きの規制を確実に解除することができる。
また、蓋には、所定の間隔を有して第１、第２の突部が一対形成され、スライダーには、第１、第２の突部が対応する位置に第１、第２の係止部が一対形成されているので、２つのロック部で蓋をロックすることができ更に確実なロックが可能となる。
【００１１】
また、スライダーは、筐体内部の取付板にスライド可能に支持され、取付板には、スライダーの一方向への動きを規制するための位置規制部が形成され、蓋を閉じる時に第１の突部が当接部を押圧することで、位置規制部による規制が解除されてスライダーが一方向にスライドするので、確実な蓋のロックを行うことができる。  
また、取付板には、スライダーをスライド可能に支持する支持部が形成され、スライダーがスライドする方向に所定の間隔を有して第１、第２の支持部が一対形成されているので、２つの支持部によって、スライダーを確実に支持することができる。
また、第１の支持部は、当接部近傍に形成され、当接部は、第１の突部が押圧操作可能な位置のスライダー側に形成され、蓋を閉じる時に第１の突部が当接部を押圧することで、スライダーは、第１支持部から所定の間隔を有して形成された第２の支持部を支点として回動して当接部側が下方に押し下げられて、位置規制部による規制が解除されるので、スライダーを確実に一方向（図示右方向）にスライドさせてロック部に係止部を係止することができる。
【００１２】
また、位置規制部による規制が解除されると、スライダーは、一方向にスライドし、位置規制部の下部に位置して上方への動きが規制されるので、ロック部に係止部が係止されると、同時にスライダーの上方への動きが規制される。そのために、ロック状態の蓋がガタ付くことなく、確実なロック状態とすることができる。
また、蓋が筐体にロックされた状態において、スライダーを他方向に押圧してスライドすることで、ロック部に対する係止部のロックが解除されると共に、スライダーの当接部側が第２の支持部を支点として上方に回動するので、確実なロック解除を行うことができる。
また、ロック部は、コ字状に形成され、係止部は、スライダーの一部を突出させてロック部に係止可能な形状になっているので、ロック部に係止部を確実に係止してロックすることができる。
また、蓋は、常に開く方向に弾性付勢されているので、ロック解除後の蓋をかっク実に所定量開くことができる。
また、第１の突部の先端、及び当接部は、正面視の形状が右肩上がりの傾斜状に形成されているので、蓋を押し下げる位置が左右どちらになっても、第１の突部の傾斜面で当接部を確実に押し下げることができる。
【発明を実施するための最良の形態】
【００１３】
以下に、本発明の蓋のロック機構を図面に基づいて説明する。図１は本発明のロック機構を説明する筐体及び蓋の要部断面図であり、図２は図１の側面図であり、図３はロックが解除された状態を説明する要部断面図であり、図４は図３の側面図であり、図５は本発明のロック機構の動作を説明する要部断面図であり、図６は蓋を完全に開いたときの側面図である。
【００１４】
まず、本発明の蓋のロック機構を、例えばロール紙等に画像印刷を行うプリンタで説明すると、プリンタには、図１〜図６に示すように、印字ヘッド等の印刷手段を有する印刷部（図示せず）と、ロール紙等を収納する用紙収納部（図示せず）等を内部に形成した筐体１が配設されている。
前記筐体１は、内部の用紙収納部にロール紙等を収納するために図示上方の一方側が開放されている。また、筐体１の開放された一方側を開閉可能な蓋２が配設され、この蓋２は、図６に示すように、右側のヒンジ部３を支点として矢印Ａ方向に常に弾性付勢されている。
図１、図３、図５は、本発明のロック機構を説明するために、筐体１及び蓋２の図示手前側を八ッチングの部分から切断した要部断面図となっている。
【００１５】
前記蓋２には、図１に示すように、所定の高さで図示下方に突出する所定の間隔を有して図示右側の一方の突部４と図示左側の他方の突部５とが一対形成されている。前記一方と他方の突部４、５には、所定寸法の位置の図示左側にコ字状のロック部４ａ、５ａが形成されている。また、第１の突部４の図示下方の先端には、正面視の形状が右肩上がりの傾斜状の傾斜面４ｂが形成され、この傾斜面４ｂが後述するスライダー７の当接部８を押圧可能になっている。
前記第１突部４の先端部に右肩上がりの傾斜部４ｂを形成することで、第１の突部４から遠い位置の蓋１の左側を矢印Ｂ方向に押圧したとしても、傾斜面４ｂで当接部８を確実に押し下げることができる。
【００１６】
また、筐体１の内部には、図１、図３、図５に示すように、垂直方向に直立する取付板６が配設され、この取付板６に棒状の第１、第２の支持部６ａ、６ｂが水平方向の図示手前側に突出形成されている。
また、取付板６には、図示右側を切り起して位置規制部６ｃが形成され、この位置規制部  ６ｃに後述するスライダー７の弾接部９が弾接するようになっている。
前記棒状の第１、第２の支持部６ａ、６ｂは根元部分が細径に、先端部が太径に形成されて段差状になっている。そして、第１、第２の支持部６ａ、６ｂにスライダー７が、蓋２の矢印Ａ、Ｂの開閉方向と直行する方向の矢印Ｃ、Ｄの方向にスライド可能に支持されている。
前記スライダー７には、第１の支持部６ａが嵌合する矢印Ｃ、Ｄの水平方向に横長状の第１の溝７ａと、第２の支持部６ｂが嵌合する水平方向に横長状の第２の溝７ｂとが形成されている。
【００１７】
前記第１の溝７ａの幅寸法は、第１の支持部６ａの根元部の径寸法より大きく形成されてガタ嵌合となっていると共に、第１の支持部６ａの先端部の径寸法より小さく形成されている。また、第２の溝７ｂの幅寸法は、第２の支持部６ｂの根元部の径寸法とほぼ同じに形成されてスライド可能になっている。
そのために、第１、第２の支持部６ａ、６ｂに支持されたスライダー７は、矢印Ｃ、Ｄの水平方向にスライド可能であると共に、第２の支持部６ｂを支点として第１の溝７ａ側が矢印Ｅ、Ｆの垂直方向に回動可能になっている。
前記スライダー７の矢印Ｅ、Ｆ方向の回動量は、第１の支持部６ａに対する第１の溝７ａのガタ寸法と同じ寸法となっている。
【００１８】
また、第１の溝７ａの右側には、図３に示すように、第１の支持部６ａの太径の先端部が挿通可能な幅広部７ｃが形成され、この幅広部７ｃの図示下部側を第１の突部４の傾斜面４ｂと同方向の正面視の形状が右肩上がりに傾斜させて切り起し形成した当接部８が設けられている。
また、第２の溝７ｂの右側には、第２の支持部６ｂの太径の先端部が挿通可能な幅広部７ｅが形成されている。
そのために、スライダー７のそれぞれの幅広部７ｃ、７ｄを、第１、第２の支持部６ａ、６ｂに位置させて挿通して、図示右方向にスライドさせることで、スライダー７は、第１、第２支持部６ａ、６ｂに支持されて矢印Ｃ、Ｄ方向にスライド可能、及び矢印Ｅ、Ｆ方向に回動可能に取付板６に取付けられている。
【００１９】
またスライダー７には、蓋２を図１に示すように閉じると、第１、第２の突部４、５のロック部４ａ、５ａが係合して蓋２をロック可能な一対の第１、第２の係止部４ｃ、４ｄが所定高さで図示手前側に突出形成されている。  
また、スライダー７には、取付板６の位置規制部６ｃに弾接可能な弾接部９が切り起し形成されていると共に、図示右端部に、後述する操作ノブ１１が押圧可能な受け部１０が形成されている。
そして、取付板６に取付けられたスライダー７は、コイルバネ等の弾性部材（図示せず）によって、矢印Ｃの一方向（図示右方向）に弾性付勢されていると共に、当接部８側が矢印Ｆの上方に弾性付勢されている。
また、筐体１には、スライダー７を外部から矢印Ｄ方向に押圧操作可能な操作ノブ１１が図示右側の外部に露出して配設されている。そして、弾接部９が取付板６の位置規制部６ｃから外れた状態のスライダー７を、操作ノブ１１を矢印Ｄの多方向に押圧操作することで、受け部１０が操作ノブ１１に押されて矢印Ｄ方向にスライドする。すると、弾接部９が位置規制部６ｃの側面に弾接して、スライダー７の矢印Ｃの一方向への動きが規制されるようになっている。
【００２０】
このような本発明の蓋のロック機構の動作を説明すると、まず、蓋２が開いた状態（図４、図６参照）においては、第１、第２の突部４、５がスライダー７から離れた初期状態となっている。
この初期状態においては、スライダー７は、弾性部材の付勢力に抗して矢印Ｄの左方向に所定寸法押されていると共に、当接部８側が、第２の支持部６ｂを支点として矢印Ｆの上方に回動している。
このことにより、スライダー７は、弾接部９が取付板６の位置規制部６ｃの側面に弾接して、矢印Ｃの一方向への動きが規制されている。
【００２１】
このようなロック機構が初期状態において、蓋２を矢印Ｂ方向に押し下げると、図５に示すように、第１の突部４の傾斜面４ｂが当接部８に当接する。このことにより、スライダー７は、第２の支持部６ｂを支点として当接部８側が矢印Ｅの下方に回動する。
すると、弾接部９が位置規制部６ｃから外れて、付勢部材の付勢力により、スライダーが矢印Ｃの一方向にスライドする、同時に、それぞれのロック部４ａ、５ａに第１、第２の係止部４ｃ、４ｄが係止される。
【００２２】
また、矢印Ｃの一方向にスライドしたスライダー７は、弾性粒９が取付板６の位置規制部６ｃの下部に弾接して、矢印Ｆの上方への動きが規制される。
即ち、本発明のロック機構がロック状態のあるときのスライダー７は、第２の支持部６ｂと位置規制部６ｃとによって、上方への動きが規制されている。
そして、それぞれのロック部４ａ、５ａに第１、第２の係止部４ｃ、４ｄが係止されることで、蓋２は、確実に筐体１にロックされて、外部から振動等が加わってもロックが解除されることがない。
【００２３】
次に、ロックされた状態の蓋２を開くには、筐体１から外部に露出している操作ノブ１１を矢印Ｄの他方向に押圧操作する。すると、スライダー７は、受け部１０が操作ノブ１１に押されて矢印Ｄの他方向にスライドして、位置規制部６ｃの下部から弾接部９が外れる。
このことにより、スラダー７は、第２の支持部６ｂを支点として当接部８側が上方に回動して、弾接部９が位置規制部６ｃの側面に弾接し、矢印Ｃの一方向への動きが規制されて、本発明のロック機構が初期状態に復帰する。
【００２４】
尚、本発明の実施の形態では、ロック部４ａ、５ａをコ字状のもので説明したが、コ字状に限定されず、係止部４ｃ、４ｄを係止してロックできる形状であれば良い。また、操作ノブ１１を筐体１の図示右側に配設して、操作ノブ１１の押圧方向と同方向にスライダー７をスライドさせることで説明したが、操作ノブ１１を筐体１の図示手前側に配設して、操作ノブ１１を紙面と直交する方向に押し込むことでスライダー７が水平方向にスライドするようにしたものでも良い。
【図面の簡単な説明】
【００２５】
【図１】本発明のロック機構を説明する筐体及び蓋の要部断面図である。
【図２】図１の側面図である。
【図３】ロックが解除された状態を説明する要部断面図である。
【図４】図３の側面図である。
【図５】本発明のロック機構の動作を説明する要部断面図である。
【図６】蓋を完全に開いたときの側面図である。
【図７】従来のロック機構を説明する概略図である。
【符号の説明】
【００２６】
１  筐体
２  蓋
３  ヒンジ部
４  第１の突部
４ａ  ロック部
４ｂ  傾斜面
４ｃ  第１の係止部
４ｄ  第２の係止部
５  第２の突部
５ａ  ロック部
６  取付板
６ａ  第１の支持部
６ｂ  第２の支持部
６ｃ  位置規制部  
７  スライダー
７ａ  第１の溝
７ｂ  第２の溝
７ｃ  幅広部
７ｄ  幅広部
８  当接部
９  弾接部
１０  受け部
１１  押圧ノブ
【図１】
2007232032.tif 000003
【図２】
2007232032.tif 000004
【図３】
2007232032.tif 000005
【図４】
2007232032.tif 000006
【図５】
2007232032.tif 000007
【図６】
2007232032.tif 000008
【図７】
2007232032.tif 000009